(57)【要約】      （修正有）【課題】  多面付けされた積層構造の積層基板製品を作製後、各単位の積層製品を分離して、製品を得る積層装置、および積層方法を提供する。【解決手段】  各積層用材の種類毎に、各積層用材と対応させて、その不良である面付け部の位置情報を、積層用材の面損情報として記録しておき、およびそのデータ管理部と、予め、各積層用材の種類毎に、各積層用材について、面付け部毎に、所定の検査計測を行い、各面付け部の良否判定を行い、不良面付け部の位置を把握し、不良面付け部の位置の情報を、前記各積層用材と対応させて、面損情報として、前記データ管理部に記録しておく検査計測処理部と、前記データ管理部から、面損情報を取得し、取得した面損情報にもとづいて積層する積層用材を選択して積層し、積層された積層物の面損情報を記録しておく積層処理部とを、備えている。【選択図】  図１
2007021801.tif 000002
【特許請求の範囲】
【請求項１】
面付け部を所定の位置に面付けして配設しているシート状の各積層用材を、複数、積層して、単位の積層製品を多面付けして配設している積層構造の積層基板製品を、作製するための積層装置であって、各積層用材の種類毎に、各積層用材と対応させて、その不良である面付け部の位置情報を、積層用材の面損情報として記録しておき、また、前記各積層用材の積層物の不良である面付け部の位置情報を、該積層物の面損情報として記録しておくデータ管理部と、予め、各積層用材の種類毎に、各積層用材について、面付け部毎に、所定の検査計測を行い、各面付け部の良否判定を行い、不良面付け部の位置を把握し、不良面付け部の位置の情報を、前記各積層用材と対応させて、面損情報として、前記データ管理部に記録しておく検査計測処理部と、前記データ管理部から、面損情報を取得し、取得した面損情報にもとづいて積層する積層用材を選択して積層し、積層された積層物の面損情報を記録しておく積層処理部とを、備えていることを特徴とする積層装置。
【請求項２】
請求項１に記載の積層装置であって、前記積層処理部は、積層する際には、前記データ管理部から、面損情報を取得し、面損位置が同じ位置となるもの同士を、同じ位置となる面損数の多い順に優先させて、積層するものであることを特徴とする積層装置。
【請求項３】
請求項１ないし２のいずれか１項に記載の積層装置であって、前記積層処理部は、同じ種類の積層用材毎に、各積層用材について、それぞれ、面損情報と対応して、待機させておき、所望の積層用材を選択的に取り出すことができるバッファ部を備えたものであることを特徴とする積層装置。
【請求項４】
請求項１ないし３のいずれか１項に記載の積層装置であって、同じ種類の積層用材毎に、各積層用材について、面損ありのものと全面付けについて面損なしのものとに振り分けて待機させておくバッファ部を備えたものであることを特徴とする積層装置。
【請求項５】
面付け部を所定の位置に面付けして配設しているシート状の各積層用材を、複数、積層して、単位の積層製品を多面付けして配設している積層構造の積層基板製品を、作製するための積層方法であって、積層用材を積層する積層工程は、予め、積層用材の種類毎に、各積層用材について、面付け部毎に、所定の検査計測を行い、各面付け部の良否判定を行い、不良面付け部の位置を把握し、積層用材の種類毎に、各積層用材と対応させて、その不良である面付け部の位置情報を、積層用材の面損情報として記録しておき、また、前記各積層用材の積層物の不良である面付け部の位置情報を、該積層物の面損情報として記録しておく検査計測処理ステップと、前記面損情報を取得し、取得した面損情報にもとづいて積層する積層用材を選択して積層し、積層された積層物の面損情報を記録しておく積層処理ステップとを、有することを特徴とする積層方法。
【請求項６】
請求項５に記載の積層方法であって、前記積層ステップは、面損情報を取得し、面損位置が同じ位置となるもの同士を、同じ位置となる面損数の多い順に優先させて、積層するものであることを特徴とする積層方法。
【請求項７】
請求項５ないし６のいずれか１項に記載の積層方法であって、前記積層ステップは、同じ種類の積層用材毎に、各積層用材について、それぞれ、面損情報と対応して、バッファ部に待機させておき、該バッファ部から所定の積層用材を、面損情報に対応して選択して用いるものであることを特徴とする積層方法。
【請求項８】
請求項７に記載の積層方法であって、前記積層ステップは、同じ種類の積層用材毎に、各積層用材について、面損ありのものと全面付けについて面損なしのものとに振り分けて、バッファ部に待機させておくものであることを特徴とする積層方法。
【発明の詳細な説明】
【技術分野】
【０００１】
本発明は、対応する面付け部を所定の位置に面付けして配設しているシート状の各積層用材を、複数、積層して、単位の積層製品を多面付けして配設している積層構造の積層基板製品を、作製するための積層装置と積層方法に関する。
【背景技術】
【０００２】
従来、多層プリント配線基板等の、複数層からなる単位の積層製品の製造方法として、図５（ａ）に示すように、その全層分の複数の積層用材を積層して、複数層からなる単位の積層製品５３０を多面付けしているシート状の積層構造の積層基板製品５２０を作製した後に、各単位の積層製品５３０を分離して、個別化された製品を得る製造方法が採られることがある。
この場合、シート状の積層構造の積層基板製品５２０においては、単位の積層製品５３０の対応する各層部は互いに一体的に連結している。
このような、シート状の積層構造の積層基板製品５２０の製造においては、例えば、図５（ｂ）に示すように、各層を形成する各積層用材の複数の面付け部５１１の中の、一部の面付け部に修正不能な致命的な欠陥がある場合、即ち、不良面付け部がある場合、欠陥がない面付け部があるにもかかわらず、積層用材ごと廃棄することがある。
尚、積層用材の欠陥が原因で、単位の積層製品となった場合に、製品自体が不良となってしまう場合、この欠陥を致命的な欠陥と言う。
また、図５中、×印は不良面付け部を示している。
このようにすると、欠陥面付け部の数が少ないほど無駄が多くなり、積層用材の面付け部の数が多くなるほど、その製造歩留りを下げる原因となっている。
一方、図５（ｃ）に示すように、積層用材５１０に致命的な欠陥のある面付け部が少ない場合、そのまま使用し、上記の場合に比べその種類の積層用材５１０の歩留まりをアップさせる方法も考えられる。
この方法の場合、積層用材５１０を全層分積層して積層基材製品５２０を形成し、前記積層用材の不良の面付け部に該等する面付け部の単位の積層製品５３０を、各単位の積層製品５３０に分離した後に、不良品の単位の積層製品５３０Ｂ廃却していた。
しかし、この方法においては、一方の種類の積層用材に、他方の種類の積層用材を積層する際、前記一方の種類の積層用材の所定位置の面付け部に致命的な欠陥がなくても、他方の種類の積層用材の前記所定位置に対応する面付け部に致命的な欠陥がある場合には、積層後、シート状の積層構造の積層基板製品と成った場合、前記所定位置に対応する面付け部の単位の積層製品は不良品となってしまう。
この方法の場合、このように、各種類の積層用材毎の歩留まりは上っても、シート状の積層構造の積層基板製品と成った場合の、単位の積層製品の歩留まりは下がり、結果的に作業能率の低下、資材の無駄を招き問題となっていた。
尚、特開２００１−７７５３５号公報（特許文献１）には、配線用基板を積層用材として複数、積層した、高密度、微細配線が可能な多層配線基板とその製造方法が記載されている。
【特許文献１】特開２００１−７７５３５号公報
【発明の開示】
【発明が解決しようとする課題】
【０００３】
上記のように、従来より、多層プリント配線基板等の、複数層からなる単位の積層製品の製造方法として、複数層からなる単位の積層製品を多面付けしているシート状の積層構造の積層基板製品を作製した後に、各単位の積層製品を分離して、製品を得る製造方法が採られているが、このような製造方法においては、作業能率の低下、資材の無駄が少ない方法が求められていた。
本発明はこれに対応するもので、多層プリント配線基板等の、複数層からなる単位の積層製品の製造方法として、複数層からなる単位の積層製品を多面付けしているシート状の積層構造の積層基板製品を作製した後に、各単位の積層製品を分離して、製品を得る製造方法を、作業能率良く、資材の無駄を少なくして行うことができる積層装置、および積層方法を提供しようとするものである。
【課題を解決するための手段】
【０００４】
本発明の積層装置は、面付け部を所定の位置に面付けして配設しているシート状の各積層用材を、複数、積層して、単位の積層製品を多面付けして配設している積層構造の積層基板製品を、作製するための積層装置であって、各積層用材の種類毎に、各積層用材と対応させて、その不良である面付け部の位置情報を、積層用材の面損情報として記録しておき、また、前記各積層用材の積層物の不良である面付け部の位置情報を、該積層物の面損情報として記録しておくデータ管理部と、予め、各積層用材の種類毎に、各積層用材について、面付け部毎に、所定の検査計測を行い、各面付け部の良否判定を行い、不良面付け部の位置を把握し、不良面付け部の位置の情報を、前記各積層用材と対応させて、面損情報として、前記データ管理部に記録しておく検査計測処理部と、前記データ管理部から、面損情報を取得し、取得した面損情報にもとづいて積層する積層用材を選択して積層し、積層された積層物の面損情報を記録しておく積層処理部とを、備えていることを特徴とするものである。
そして、上記の積層装置であって、前記積層処理部は、積層する際には、前記データ管理部から、面損情報を取得し、面損位置が同じ位置となるもの同士を、同じ位置となる面損数の多い順に優先させて、積層するものであることを特徴とするものである。
そしてまた、上記いずれかの積層装置であって、前記積層処理部は、同じ種類の積層用材毎に、各積層用材について、それぞれ、面損情報と対応して、待機させておき、所望の積層用材を選択的に取り出すことができるバッファ部を備えたものであることを特徴とするものである。
また、上記いずれかの積層装置であって、同じ種類の積層用材毎に、各積層用材について、面損ありのものと全面付けについて面損なしのものとに振り分けて待機させておくバッファ部を備えたものであることを特徴とするものである。
【０００５】
ここでは、各積層用材の、単位の製品の位置する領域である面付け部に致命的な欠陥がある場合、この各積層用材の面付け部を面損の面付け部と呼ぶ。
尚、積層用材の欠陥が原因で、単位の積層製品となった場合に、製品自体が不良となってしまう場合、この欠陥を致命的な欠陥と言う。
また、ここでは、複数の積層用材を積層して積層物を積層形成する場合、該複数の積層用材の少なくとも１つの積層用材がある面付け位置に致命的な欠陥を有すると、積層物の対応する面付け部は不良の面付け部とする。
また、ここでは、各積層用材を複数積層した積層物についても、単位の製品の位置する領域である面付け部に致命的な欠陥がある場合、この積層物の面付け部を面損の面付け部と呼ぶ。
面損の面付け部は、実質的に製品作製に寄与しないため、その積層用材の面付け部の中では歩留まり的に損害を受けた領域で、このように呼ぶ。
また、面損情報とは、各積層用材毎に、面損である面付け部の位置情報を対応させているものである。
【０００６】
本発明の積層基板製品の積層方法は、面付け部を所定の位置に面付けして配設しているシート状の各積層用材を、複数、積層して、単位の積層製品を多面付けして配設している積層構造の積層基板製品を、作製するための積層方法であって、積層用材を積層する積層工程は、予め、積層用材の種類毎に、各積層用材について、面付け部毎に、所定の検査計測を行い、各面付け部の良否判定を行い、不良面付け部の位置を把握し、積層用材の種類毎に、各積層用材と対応させて、その不良である面付け部の位置情報を、積層用材の面損情報として記録しておき、また、前記各積層用材の積層物の不良である面付け部の位置情報を、該積層物の面損情報として記録しておく検査計測処理ステップと、前記各面損情報を取得し、取得した面損情報にもとづいて積層する積層用材を選択して積層し、積層された積層物の面損情報を記録しておく積層処理ステップとを、有することを特徴とするものである。
そして、上記の積層方法であって、前記積層ステップは、面損情報を取得し、面損位置が同じ位置となるもの同士を、同じ位置となる面損数の多い順に優先させて、積層するものであることを特徴とするものである。
そしてまた、上記いずれかの積層方法であって、前記積層ステップは、同じ種類の積層用材毎に、各積層用材について、それぞれ、面損情報と対応して、バッファ部に待機させておき、該バッファ部から所定の積層用材を、面損情報に対応して選択して用いるものであることを特徴とするものであり、同じ種類の積層用材毎に、各積層用材について、面損ありのものと全面付けについて面損なしのものとに振り分けて、バッファ部に待機させておくものであることを特徴とするものである。
【０００７】
（作用）
本発明の積層装置は、このような構成にすることにより、多層プリント配線基板等の、複数層からなる単位の積層製品の製造方法として、複数層からなる単位の積層製品を多面付けしているシート状の積層構造の積層基板製品を作製した後に、各単位の積層製品を分離して、製品を得る製造方法を、作業能率良く、資材の無駄を少なくして行うことができる積層装置の提供を可能としている。
具体的には、各積層用材の種類毎に、各積層用材と対応させて、その不良である面付け部の位置情報を、積層用材の面損情報として記録しておき、また、前記各積層用材の積層物の不良である面付け部の位置情報を、該積層物の面損情報として記録しておくデータ管理部と、予め、各積層用材の種類毎に、各積層用材について、面付け部毎に、所定の検査計測を行い、各面付け部の良否判定を行い、不良面付け部の位置を把握し、不良面付け部の位置の情報を、前記各積層用材と対応させて、面損情報として、前記データ管理部に記録しておく検査計測処理部と、前記データ管理部から、面損情報を取得し、取得した面損情報にもとづいて積層する積層用材を選択して積層し、積層された積層物の面損情報を記録しておく積層処理部とを、備えていることにより、これを達成している。
そして、積層処理部は、積層する際には、前記データ管理部から、面損情報を取得し、面損位置が同じ位置となるもの同士を、同じ位置となる面損数の多い順に優先させて、積層するものである請求項２の発明の形態とすることにより、各積層用材の歩留まりの向上、資材の節減をより効果的にできるものとしている。
積層処理部としては、同じ種類の積層用材毎に、各積層用材について、それぞれ、面損情報と対応して、待機させておき、所望の積層用材を選択的に取り出すことができるバッファ部を備えた請求項３の発明の形態が挙げられ、また、同じ種類の積層用材毎に、各積層用材について、面損ありのものと全面付けについて面損なしのものとに振り分けて待機させておくバッファ部を備えたものである請求項４の発明の形態が挙げられる。
特に、同じ種類の積層用材毎に、各積層用材について、面損ありのものと全面付けについて面損なしのものとに振り分けて集積させておくバッファを備えたものの場合には、
全ての種類の積層用材を積層後、前記
単位の積層製品を多面付けして配設している積層構造の積層基板製品について最終検査( 導通検査等) を行う際、積層用材種類毎の面損情報を考慮し、１つの種類の積層用材でも面損領域がある箇所の面付け部については、該最終検査（導通検査等) を省略することができ、該最終検査の効率向上が可能となる。
【０００８】
本発明の積層方法は、このような構成にすることにより、多層プリント配線基板等の、複数層からなる単位の積層製品の製造方法として、複数層からなる単位の積層製品を多面付けしているシート状の積層構造の積層基板製品を作製した後に、各単位の積層製品を分離して、製品を得る製造方法を、作業能率良く、資材の無駄を少なくして行うことができる積層方法の提供を可能としている。
【発明の効果】
【０００９】
本発明は、上記のように、多層プリント配線基板等の、複数層からなる単位の積層製品の製造方法として、複数層からなる単位の積層製品を多面付けしているシート状の積層構造の積層基板製品を作製した後に、各単位の積層製品を分離して、製品を得る製造方法を、作業能率良く、資材の無駄を少なくして行うことができる積層装置、積層方法の提供を可能とした。
【発明を実施するための最良の形態】
【００１０】
本発明の実施の形態を図に基づいて説明する。
図１は本発明の積層装置の実施の形態の１例の概略構成を示した構成図で、図２は積層処理等の処理とデータ管理部の面損情報との関係を説明するための図で、図３（ａ）は積層用材のバッファ区分けを説明するための処理フロー図で、図３（ｂ）は積層処理を終えた積層基板製品のバッファ区分けを説明するためのフロー図で、図４は第１の層、第２の層の各積層用材を待機させる各バッファから積層用材を供給する１例を示したフロー図である。
尚、図１中、実線矢印Ａは積層用材の進行方向を示し、実線矢印Ｂは積層物の進行方向を示し、実線矢印Ｃは積層基板製品の進行方向を示し、点線矢印は各面損情報の移動方向を示す。
また、図１においては、検査計測部２０から積層処理部３０のバッファ部３２へのローダー、バッファ部３２から積層部へのアンローダーは、省略して示している。
また、図２において、×印のあるものは面損の面付け部で、×印のないものは面損でない良品の面付け部であることを示している。
また、図３中、Ｓ１１〜Ｓ１５、Ｓ２１〜Ｓ２５、図４中、Ｓ３１〜Ｓ４０は、それぞれ、処理ステップを示す。
図１〜図４中、１０は製造部、２０は検査計測部、３０は積層処理部、３１は積層部、３２はバッファ、４０は最終検査部、５０はデータ管理部、５１は積層材層の面損情報、５２は積層物の面損情報、１００は積層装置、２１０ａ、２１０Ａは第１層の積層用材、２１０ｂ、２１０Ｂは第２層の積層用材、２１５は面付け部、２２０は積層物、２３１は第１のバッファ、２３２は第２のバッファである。
本例の積層装置１００は、面付け部を所定の位置に面付けして配設しているシート状の各積層用材（図５の５１０に相当）を、複数、積層して、単位の多層配線基板からなる積層製品（図５の５３０に相当）を多面付けして配設している積層構造の積層基板製品（図５の５２０に相当）を、作製するための積層装置である。
そして、各積層用材の種類毎に、各積層用材と対応させて、その不良である面付け部の位置情報を、積層用材の面損情報として記録しておき、また、前記各積層用材の積層物の不良である面付け部の位置情報を、該積層物の面損情報として記録しておくデータ管理部５０と、予め、各積層用材の種類毎に、各積層用材について、面付け部毎に、所定の検査計測を行い、各面付け部の良否判定を行い、不良面付け部の位置を把握し、不良面付け部の位置の情報を、前記各積層用材と対応させて、面損情報５１として、前記データ管理部に記録しておく検査計測処理部２０と、前記データ管理部から、面損情報を取得し、取得した面損情報にもとづいて積層する積層用材を選択して積層し、積層された積層物の面損情報５２を記録しておく積層処理部３０とを、備えているものである。
【００１１】
本例における積層処理部３０は、同じ種類の積層用材毎に、各積層用材について、それぞれ、面損情報５１と対応して、待機させておき、所望の積層用材を選択的に取り出すことができる複数個のバッファ（１〜ｎ）を有するバッファ部３２を備えたもので、各積層用材は、それを製造する製造部１０から検査計測処理部２０へ供給され、一旦、同じ種類の積層用材毎に、バッファ部３２の所定のバッファに待機させられる。
尚、バッファ（１〜ｎ）としては、通常、マガジンラッグ形態のものが用いられるが、これに限定はされない。
そして、積層する際には、データ管理部５０から積層用材の面損情報５１を取得して、取得した面損情報５１や中間製品の積層物の面損情報５２にもとづいて、バッファ部３２のバッファから積層する積層用材を選択して取り出し、積層処理を行う積層部３１へ積層用材を供給し、積層部３１にて積層する。
積層部３１は、各層の積層用材を１度に積層して積層基板製品を積層形成することや、順次、各層の積層用材を積層して積層基板製品を積層形成することや、予め複数種の積層用材を積層した中間製品の積層物を作製しておき、これに、更に、積層用材を積層して積層基板製品を積層形成することができる。
積層処理部３０にて積層された、積層基板製品は最終検査部４０へと渡される。
本例の積層装置１００において、積層処理部３０は、積層する際には、データ管理部５０から、面損情報５１、５２を取得し、面損位置が同じ位置となるもの同士を、同じ位置となる面損数の多い順に優先させて、積層するものである。
【００１２】
本例の積層装置１００においては、各種積層用材のバッファ部３２のバッファ区分けは、同じ種類の積層用材を１つのバッファに待機させておくこともできるが、図３（ａ）に示す処理フローのよう、積層用材の面損情報５１に対応して２つのバッファに区分けして待機させておいても良い。
図３（ａ）に示す処理フローを簡単に説明する。
検査計測処理部２０の処理は、製造部１０から積層用材（Ｓ１１）が供給されると、断線、ショート等の検査計測処理を行う。（Ｓ１２）
そして、致命的な欠陥がある面付け部の位置情報である積層用材の面損情報を得て、面損の面付け部が有る場合は、面損有用のバッファにおさめ（Ｓ１３〜Ｓ１４）、面損がない場合には、面損なし用のバッファにおさめて（Ｓ１３〜Ｓ１５）、積層のために待機させる。
一方、検査計測処理（Ｓ１２）の結果、得れた面損情報については、各積層用材に対応させデータ管理部５０に記録しておく。
記録された情報は、積層処理部３０に供給され利用される。
記録された情報は、積層処理部３０に供給され利用される。
【００１３】
尚、積層処理を終えた積層基板製品を最終検査部４０にて導通検査等を行うが、最終検査部４０の検査に際し、予め、積層基板製品を、その面損情報に基づいて区分けして待機させておく、バッファ部（図示していない）を備えておくと、検査効率面から好ましい。  この場合、例えば、図３（ｂ）に示す処理フローのように行う。
積層処理を行い（Ｓ２１）、積層基板製品が積層形成され（Ｓ２２）、また一方、最終的な積層物である各積層基材製品の面損情報５２は、各積層基材製品と対応して、データ管理部５０に記録されるが、各積層基材製品について、面損情報５２をもとに、面損有りの場合は、面損有り用のバッファ用におさめ（Ｓ２３〜Ｓ２４）、面損がない場合には、面損なし用のバッファにおさめて（Ｓ２３〜Ｓ２５）、最終検査部４０における最終検査（導通検査等）のために待機させる。
記録された情報は、最終検査部３０における最終検査（導通検査等）に利用され、検査の際、各積層基材製品について、面損が無いものについては、全面付けの検査を行い、面損のあるものについては、面損の面付け部の検査を省略することにより、検査効率を上げることができる。
ここでは、最終検査前にバッファに振り分けたが、振り分けずに各積層基材製品について、その面損情報に基づいて面損があればその面付けの検査を省略しても良い。
【００１４】
積層処理部３０の動作について、更に説明する。
説明を簡単にするために、第１の層、第２の層の２種類の積層用材を積層する場合について、説明する。
先ず、図２に基づいて、図１を参照にしながら説明する。
予め、第１の層、第２の層の２種類の積層用材、それぞれについて、各積層用材を製造部１０から検査計測部２０へ投入して、検査計測処理を行い、面損の面付け部の位置情報である面損情報を得て、これを、各積層用材と対応させて、データ管理部５０に記録するとともに、第１の層である各積層用材２１０ａは第１のバッファ２３１に収め、第２の層である各積層用材２１０ｂは第２のバッファ２３２に収めておく。
各積層用材とその面損情報５１との対応付けは、例えば、各積層用材（２１０ａ、２１０ｂ）毎に、読み取り可能なＩＤを添付したシール等を貼り付けておいても良い。
各バッファの各積層用材には、それぞれ、面損情報が対応してデータ管理部５０に記録されている。
積層処理部３０は、積層する際、データ管理部５０から、積層する各層の面損情報５１を取得し、各層について、面損位置が同じ位置となるもの同士を、同じ位置となる面損数の多い順に優先させて、積層するものであり、例えば、いずれの積層用材も、面損の面付け部が１以下である場合は、同じ位置に面損の面付け部が１つだけあるもの同士（２１０Ａ、２１０Ｂ）を積層する。
同じ位置に面損の面付け部が１つだけあるもの同士（２１０Ａ、２１０Ｂ）を積層した場合、積層物２２０についても面損の面付け部は１つであるが、互いに違う位置に面損の面付け部が１つだけあるもの同士を積層した場合、積層物については、面損の面付け部は２つとなる。
【００１５】
また、例えば、いずれの積層用材も、面損の面付け部が２以下である場合は、同じ位置に面損の面付け部が２つだけあるもの同士を優先して積層し、次いで、いずれの積層用材も、同じ位置に面損の面付け部が１つだけあるもの同士を優先して積層する。
面損の面付け部が２以上である積層用材を廃棄する場合等がこれに相当する。
これを、図４に基づいて、図１を参照にしながら説明する。
まず、先と同様にして、予め、第１の層、第２の層の２種類の積層用材、それぞれについて、各積層用材を製造部１０から検査計測部２０へ投入して、検査計測処理を行い、面損の面付け部の位置情報である面損情報５１を得て、これを、各積層用材と対応させて、データ管理部５０に記録するとともに、第１の層である各積層用材ａ１〜ａｎは第１の層用のバッファに収め、第２の層である各積層用材ｂ１〜ｂｎは第２の層用のバッファに収めておく。（Ｓ３１）
次いで、積層処理部３０は、異なるバッファに待機させた積層用材同士について、２箇所面損の位置が同じである積層用材ａｉ、ｂｊの組み合わせがあるか否かを検索し（Ｓ３２）、
組み合わせａｉ、ｂｊが有る場合は、積層用材ａｉ、ｂｊが各バッファから供給されて（Ｓ３３、Ｓ３４）、積層する。（Ｓ３５）
積層用材ａｉ、ｂｊが供給され各バッファの空いた位置に、それぞれ、積層用材を新たにａｉ、ｂｊとして供給しておく。（Ｓ３６）
また、２箇所面損の位置が同じである積層用材ａｉ、ｂｊの組み合わせが無い場合は、積層処理部３０は、異なるバッファに待機させた積層用材同士について、１箇所面損の位置が同じである積層用材ａｉ、ｂｊの組み合わせがあるか否かを検索する。（Ｓ３７）
そして、組み合わせａｉ、ｂｊが有る場合は、積層用材ａｉ、ｂｊが各バッファから供給されて（Ｓ３８、Ｓ３９）、積層する。（Ｓ３５）
ここでも、積層用材ａｉ、ｂｊが供給され各バッファの空いた位置に、それぞれ、積層用材を新たにａｉ、ｂｊとして供給しておく。（Ｓ３６）
組み合わせａｉ、ｂｊが無い場合は、積層用材ａ１、ｂ１が各バッファから供給されて（Ｓ３８、Ｓ４０）、積層する。（Ｓ３５）
以上の一連の処理ステップ（Ｓ３２〜Ｓ４０）を繰り返しすことにより、積層処理の作業が続けられる。
また、いずれの積層用材も、面損の面付け部が３以上ある場合には、同じ位置となる面損数の多い順に優先させて、積層する。
このように、面損位置が同じ位置となるもの同士を、優先して積層することにより、積層基材製品となった場合、そうでない場合に比べて歩留まりを上げることができ、結果、作業能率の向上となり、資材の節約にもなる。
【００１６】
上記の例は、１例でこれに本発明はこれに限定されるものではない。
例えば、各層を順次積層する工程毎に、積層部を設け、各工程毎に積層する積層用材あるいは積層物の面損情報を管理するようにしても良い。
このようにすることにより、簡単に流れ作業化ができる。
【図面の簡単な説明】
【００１７】
【図１】本発明の積層装置の実施の形態の１例の概略構成を示し構成図である。
【図２】積層処理等の処理とデータ管理部の面損情報との関係を説明するための図である。
【図３】図３（ａ）は積層用材のバッファ区分けを説明するための処理フロー図で、図３（ｂ）は積層処理を終えた積層基板製品のバッファ区分けを説明するためのフロー図である。
【図４】第１の層、第２の層の各積層用材を待機させる各バッファから積層用材を供給する１例を示したフロー図である。
【図５】従来の積層処理を説明するための図である。
【符号の説明】
【００１８】
１０            製造部
２０            検査計測部
３０            積層処理部
３１            積層部
３２            バッファ
４０            最終検査部
５０            データ管理部
５１            積層材層の面損情報
５２            積層物の面損情報
１００          積層装置
２１０ａ、２１０Ａ    第１層の積層用材
２１０ｂ、２１０Ｂ    第２層の積層用材
２１５          面付け部
２２０          積層物
２３１          第１のバッファ
２３２          第２のバッファ
５１０          積層用材
５１１          面付け部
５２０          積層基板製品
５３０          単位の積層製品
５３０Ａ        良品の単位の積層製品
５３０Ｂ        不良品の単位の積層製品
【図１】
2007021801.tif 000003
【図２】
2007021801.tif 000004
【図３】
2007021801.tif 000005
【図４】
2007021801.tif 000006
【図５】
2007021801.tif 000007